(57)【要約】【課題】  公営競技の投票券発行装置に関し、投票券の購入毎に購入額に応じたポイント数を付与した仮会員証を発行する投票券発行装置、投票券発行方法および投票券発行プログラムを提供することを目的とする。【解決手段】  投票情報の取得に伴いユニークな仮会員番号を生成し、この仮会員番号と投票情報に含まれる購入金額に応じて算出したポイント数とを基に仮会員証を作成し、投票券とともに発行するよう構成する。【選択図】    図１
2006053751.tif 000002
【特許請求の範囲】
【請求項１】
入力された投票カードから投票金額を含む投票情報を取得する投票情報取得手段と、
前記投票情報の取得によりユニークな仮会員番号を生成し、前記投票金額に応じてポイント数を算出する会員証情報作成手段と、
前記仮会員番号と前記ポイント数とを含む仮会員証と、前記投票情報に基づいて作成した投票券とを発行する発行手段と
を有することを特徴とする投票券発行装置。
【請求項２】
入力された投票カードから投票金額を含む投票情報を取得する投票情報取得手段と、
入力された１枚以上の仮会員証から仮会員番号とポイント数とをそれぞれ取得する会員情報取得手段と、
前記仮会員番号の中から任意の一つの仮会員番号を選択し、取得した前記ポイント数の合計と前記投票金額に応じて算出したポイント数とを合算する会員証情報作成手段と、
選択した前記仮会員番号と合算した前記ポイント数とを含む仮会員証と、前記投票情報に基づいて作成した投票券とを発行する発行手段と
を有することを特徴とする投票券発行装置。
【請求項３】
入力された投票カードから投票金額を含む投票情報を取得する投票情報取得手段と、
会員登録により発行された正会員証から正会員番号とポイント数とを取得し、該正会員証と共に入力された１枚以上の仮会員証からポイント数を取得する会員情報取得手段と、
前記正会員証のポイント数と前記仮会員証のポイント数の合計と前記投票金額に応じて算出したポイント数とを合算する会員証情報作成手段と、
前記正会員番号と合算した前記ポイント数とを含む正会員証と、前記投票情報に基づいて作成した投票券とを発行する発行手段と
を有することを特徴とする投票券発行装置。
【請求項４】
入力された投票カードから投票金額を含む投票情報を取得する投票情報取得手順と、
前記投票情報の取得によりユニークな仮会員番号を生成し、前記投票金額に応じてポイント数を算出する会員証情報作成手順と、
前記仮会員番号と前記ポイント数とを含む仮会員証と、前記投票情報に基づいて作成した投票券とを発行する発行手順と
を有することを特徴とする投票券発行方法。
【請求項５】
入力された投票カードから投票金額を含む投票情報を取得する投票情報取得手段と、
前記投票情報の取得によりユニークな仮会員番号を生成し、前記投票金額に応じてポイント数を算出する会員証情報作成手段と、
前記仮会員番号と前記ポイント数とを含む仮会員証と、前記投票情報に基づいて作成した投票券とを発行する発行手段と
をコンピュータに機能させるための投票券発行プログラム。
【発明の詳細な説明】
【技術分野】
【０００１】
本発明は、公営競技における投票券発行装置に関し、より詳細には従来の投票券の発行に加えてポイントサービスのためのポイントを付与した会員証の発行を行う投票券発行装置、投票券発行方法および投票券発行プログラムに関する。
【背景技術】
【０００２】
ポイントサービスは色々な業種で実施されているが、これは購入金額に応じてポイントを付与し、このポイントを貯めることにより景品の交換やサービスの提供が受けられるものである。このポイントサービスは販売業者にとってはリピート客を獲得していわゆる囲い込みが行えるとともに、ポイントサービス開始の際の会員登録で得られる個人情報を基にマーケッテングが行えることもメリットの一つと考えている。
【０００３】
一方、競輪や競馬などの公営競技ではポイントサービスの実施はほとんど行われていないのが実情である。これは、それぞれの競技に対するファンは固定化しており競合相手が実質いないに等しいことによるものと思われる。しかし、近年の公営競技は一時のブームを過ぎて売上高は下降気味にあり、公営競技をより魅力的なものにすべくポイントサービスの導入も検討されている。それとともに、公営競技に対するポイントサービスの提案も多くなされている。
【０００４】
例えば、従来のマークカードに代えて投票券用ＩＣカードに投票情報を記録しておきこの投票券用ＩＣカードで投票券の購入を行うと購入金額に応じてポイントが付与され投票券用ＩＣカードに記録される提案がなされている。本提案は紙と印刷による費用低減を目的としたものである（特許文献１）。
【０００５】
また、投票券の購入時間帯に応じてポイント数を算出し、不的中券（外れ投票券）に対してこのポイント数を付与することにより、投票券購入の締切り間際の混雑防止と不的中券の回収を行う提案がなされている（特許文献２）。
【０００６】
また、レース終了後に投票券を自動払戻機に挿入すると、的中、不的中に係わらず投票内容に応じてポイント数を付与して顧客のポイントカードに記録するもので、これにより不的中券の飛散を防止する提案がなされている（特許文献３）。
【特許文献１】特開２００１−２０９７４８号公報
【特許文献２】特開２００２−２５９６１５号公報
【特許文献３】特開２００１−１７５７８９号公報
【発明の開示】
【発明が解決しようとする課題】
【０００７】
上記に示したように、ポイントサービスは各種業界で実施されているが、公営競技ではこのポイントサービスの提案がなされているもののその普及は今一つの感がある。その原因の一つに会員証発行の問題が考えられる。即ち、ポイントサービスの開始に当たって顧客には予め会員になって貰うことが一般的であり、このために顧客に会員登録を行って貰い会員証を渡していた。この会員登録には氏名や住所等の個人情報の入力が求められ、入力に要する時間更には会員証を発行する時間を要し、競技場に来た顧客にこれらの時間を求めることは困難である。特に、電車やバスなどを利用して競技場に来る顧客は短時間に集中すること、レースの合間においても次のレースを予想し、投票券の購入を行うことを考えるとこの時間においても会員登録を行い会員証を発行することは困難であり、これがポイントサービス普及の障害の一つになっていた。
【０００８】
また、ポイントサービスを行うに当たって競技主催元は多大な設備投資をしたくない、ということもサービス普及を妨げる一因ともなっていた。
【０００９】
本発明の目的は、上記問題を解決する投票券発行装置、投票券発行方法および投票券発行プログラムを提供することにある。
【課題を解決するための手段】
【００１０】
本発明の投票券発行装置、投票券発行方法および投票券発行プログラムは以下のように構成される。
（１）第１の発明
第１の発明は、顧客が投票券を購入するとポイントを付与した仮会員証を投票券と共に発行するものである。
【００１１】
その原理を図１を用いて説明する。第１の発明は、図１に示すように投票情報取得手段１０、会員証情報作成手段２０および発行手段３０で構成する。
【００１２】
投票情報取得手段１０は、投票券発行装置に入力された投票カードから投票金額を含む投票情報を取得する。投票金額は賭け金のことである。
【００１３】
会員証情報作成手段２０は、投票情報を取得した後に他の番号と重なることのない仮会員番号を生成すると共に、投票情報から得られた投票金額に応じてポイント数を算出しておく。
【００１４】
発行手段３０は、会員証情報作成手段２０で生成した仮会員番号と算出したポイント数を含んだ仮会員証、および投票情報から作成した投票券を発行する。
【００１５】
本構成により投票券を本発明の投票券発行装置で購入すると獲得したポイント数を含む仮会員証を自動的に作成する。また、その仮会員証はユニークな会員番号を持つものである。
（２）第２の発明
第２の発明は、投票カードの他に１枚以上の仮会員証が入力されたとき、仮会員証のポイント数の合計に今回購入によって付与されるポイント数を加えて１枚の仮会員証を発行するものである。
【００１６】
その原理を図２を用いて説明する。第２の発明は、図２に示すように投票情報取得手段１０、会員証情報取得手段４０、会員証情報作成手段２１および発行手段３１で構成する。
【００１７】
投票情報取得手段１０は、第１の発明と同一であるので説明を省略する。
【００１８】
会員証情報取得手段４０は、入力された１枚以上の仮会員証から仮会員番号とポイント数を入力された枚数分取得する。
【００１９】
会員証情報作成手段２１は、取得した仮会員番号の中から任意の一つの仮会員番号を選択する。さらに、取得したポイント数を合計し、このポイント数に投票情報から得られた投票金額に応じて算出したポイント数を加えておく（合算する）。
【００２０】
発行手段３１は、選択した仮会員番号と合算したポイント数を含む仮会員証と、投票情報から作成した投票券を発行する。
【００２１】
本構成により、仮会員証が入力されたときは第１の発明のようにユニークな仮会員番号を生成するのではなく入力された仮会員証の中から任意の番号を選んで仮会員証を発行する。また、ポイント数は入力された全ての仮会員証のポイント数に今回購入分のポイント数を加えたものとなる。
（３）第３の発明
第３の発明は投票カードの他に正会員証と１枚以上の仮会員証が入力されたとき、入力された正会員証と仮会員証を集約して新たな正会員証を発行するものである。
【００２２】
その原理を図３を用いて説明する。第３の発明は、図３に示すように投票情報取得手段１０、会員情報取得手段４１、会員証情報作成手段２２および発行手段３２で構成する。
【００２３】
投票情報取得手段１０は、第１および第２の発明と同一であるので説明を省略する。
【００２４】
会員情報取得手段４１は、入力された正会員証から正会員証番号とポイント数を取得し、さらに入力された１枚以上の仮会員証からはその枚数分のポイント数を取得する。正会員証は会員登録することにより作成された会員証である。。
【００２５】
会員証情報作成手段２２は、正会員証のポイント数と１枚以上の仮会員証のポイント数（複数枚仮会員証がある場合はそれらのポイント数の合計）と、さらに投票情報から得られた投票金額に応じて算出したポイント数とを合算しておく。
【００２６】
発行手段３２は、正会員証番号と合算したポイント数を含む正会員証と、投票情報から作成した投票券を発行する。
【００２７】
本構成により、正会員証が入力されたときは同時に入力された仮会員証のポイント数を集約し、新たな正会員証を発行する。
（４）第４の発明
第４の発明は第１の発明に基づいた投票券発行方法である。
（５）第５の発明
第５の発明は第１の発明に基づいた投票券発行プログラムである。
【発明の効果】
【００２８】
第１の発明により、顧客は従来と同様の操作で投票券を購入するだけで自動的にポイントを付与した仮会員証が受けられ、顧客による短時間に集中した投票券の購入が行われても会員証の発行が可能となりポイントサービスの実施が可能となる。
【００２９】
第２の発明により、投票券購入の際に１枚以上の仮会員証を入力すると、今回の投票券購入分を含めて纏めて1枚の仮会員証に集約できる。このため、以前に発行を受けた仮会員証を複数枚持つ面倒はなくなる。
【００３０】
第３の発明により、正会員証の携帯を忘れても自動的に作成される仮会員証を持っておけばそれらを後日正会員証に集約でき、獲得したポイント数を無駄にすることはなくなる。
【００３１】
第４の発明および第５の発明により、投票券購入の際にポイントサービスが受けられる仮会員証の自動発行が可能な投票券発行方法および投票券発行プログラムの提供ができる。
【００３２】
第１〜第５の発明を通じて、会員証は投票券と同様に印刷できるので、従来の投票券発行装置のハードはそのまま利用しながらプログラムを変更するだけでポイントサービスのための会員証の発行を行うことが可能である。
【発明を実施するための最良の形態】
【００３３】
従来の投票券発行装置にプログラムの追加を行う程度の変更で仮会員証の発行が可能なように実現した。
【実施例】
【００３４】
本発明の実施例について図４から図９を用いて説明する。図４は本発明の特徴である仮会員証および正会員証の運用の概念を説明する図である。
【００３５】
全体はトータリゼータシステム１００と会員登録システム４００から成り立っており、トータリゼータシステム１００は従来のシステムでホストコンピュータ２００に投票券の購入と的中投票券の払戻しとを行う自動発払機３００の端末が接続されている（この自動発払機３００の他に窓口で投票券の発券を行う端末やオッズを表示する表示端末等が接続されているが、本発明とは直接関係しないので図示していない）。この自動発払機３００に投票券、投票カード、会員証が挿入されると、自動発払機３００は券面に印刷された情報の読み取りが可能である。また、投票券、会員証を印刷し発行することが可能である。顧客が投票券の購入を行うとき、投票カードおよび現金を自動発払機３００に入れると投票カードに記入した投票券と仮会員証が発行される。この仮会員証には購入金額に応じたポイント数が付与されている。顧客が既に仮会員証を持っている場合は、投票券の購入に際してその仮会員証を挿入するとそのポイント数に今回の購入額に対して付与されたポイント数を加えた新しい仮会員証が発行される。挿入した仮会員証が複数枚の場合は、それらのポイント数の合計に今回の購入額で付与されたポイント数を加えた１枚の仮会員証が発行されることになる。そして、挿入した仮会員証は廃券とし自動発払機３００内に回収される。さらに、正会員証が複数の仮会員証とともに挿入された場合は、ポイント数は正会員証のポイント分、仮会員証のポイント分および今回付与されたポイント分の３つが合算された新しい正会員証が発行される。このように、自動発払機３００は、挿入された仮会員証、正会員証の有無で幾つかのパターンを処理する。
【００３６】
会員登録システム４００は仮会員証を基に会員登録を行うもので、パソコン（ＰＣ）５００とそこに接続されたスキャナ６００およびプリンタ７００から構成する。詳細は後述するが、仮会員証をスキャナ６００で読み取り、個人情報の入力を行うと会員登録が行われ、ここで初めてプリンタ７００から正会員証が発行されることになる。この時、仮会員証のポイント数は正会員証に引き継がれる（複数の仮会員証を読み込ませた場合はその合計のポイント数が正会員証に引き継がれる）。
【００３７】
図５は、仮会員証と正会員証の例を示す。両会員証には会員番号、ポイント数、二次元バーコードの情報が印刷されるが、正会員証は会員登録時に個人情報が入力されるのでこの情報を基に顧客の氏名が印刷される。また、仮会員証と正会員証とを自動発払機３００が識別するために会員番号の所定の桁に識別コードが挿入されている。例えば、会員番号の１桁目が「０」の場合は仮会員証であり、「１」の場合は正会員証である。
【００３８】
次に、自動発払機３００の構成を図６により説明する。自動発払機３００は、全体を制御するＣＰＵ（Central Processing Unit）３０１、プログラムやデータを記憶するＭＥＭ（Memory）３０２、ホストコンピュータとのインターフェースであるホスト接続ユニット３０３を備え、入出力機器として顧客への操作案内やデータ入力が可能なカラー画面タッチパネル３１０、顧客に対する音声操作案内を行う音声ユニット３２０、現金データの入出力を行うＩＣカードユニット３３０、投票券および会員証の発行を行う投票券発行ユニット３４０、投票券および会員証の読み取りを行う投票券読取ユニット３５０、投入紙幣および放出紙幣の識別と計数を行う紙幣還流ユニット３６０、投入硬貨および放出硬貨の識別と計数を行う硬貨還流ユニット３７０、投票用ＯＭＲ（Optical Mark Reading）カードの読み取りを行う投票カード読取ユニット３８０および操作および動作履歴の印刷を行うジャーナルユニット３９０から構成する。本発明の仮会員証および正会員証は、投票券発行ユニット３４０および投票券読取ユニット３５０でそれぞれ発行と読み取りが行われ、本発明の実施に当たって従来の自動発払機３００のハード的な改造を不要とするものである。
【００３９】
次に、自動発払機３００の処理フローを図７を用いて説明する。ここでは、自動発払機３００は図６に示す構成になっているものとし、投票券を購入する過程でポイントが付いた仮会員証または正会員証が発行される処理を説明する。また、この説明では触れないが、投票券の購入に必要な金額は、紙幣還流ユニットに現金の投入あるいは的中投票券の挿入で賄えているものとする。
【００４０】
まず、図７のステップＳ１０（以下、単にＳｎｎと言う）において投票券読取ユニット３５０に媒体（会員証もしくは投票券）が挿入されているかどうかをチェックし、挿入されていればその媒体の読込みを行う（Ｓ２０）。媒体が会員証であれば（Ｓ３０）読み取った会員番号とポイントを退避しておく（この時の会員証は仮会員証でも正会員証でもよい）。ポイントの退避は会員証が複数あって２枚目以降であれば既に退避してあるポイント数に読み取ったポイント数を加算して退避するものとする（この時のポイント数をＰ２とする）。読み取られた会員証は廃券とする。そして、Ｓ１０に戻り、媒体の挿入の有無のチェックを行う（Ｓ４０〜Ｓ６０）。
【００４１】
Ｓ３０で投票券読取ユニット３５０が読み取った媒体が投票券であった場合は、ホストコンピュータ２００と交信し、払戻金の算出を行って算出された払戻金を退避しておく。投票券が的中でなければ払戻金は「０円」が算出されることになる。また、払戻金の退避は投票券が複数あって２枚目以降であれば既に退避してある払戻金に算出した払戻金を加算して退避するものとする。読み取られた投票券は廃券とする。そして、Ｓ１０に戻り、媒体の挿入の有無のチェックを行う（Ｓ７０〜Ｓ９０）。
【００４２】
Ｓ１０で投票券読取ユニット３５０に媒体がないときはＳ１００に進み、投票カード読取ユニット３８０に媒体（即ち投票カード）が挿入されているかどうか、をチェックする。媒体が挿入されている場合は、媒体である投票カードを読込みホストコンピュータ２００と交信して投票券を印刷する。さらに、購入額に応じたポイント数を算出し、退避する。ポイント数の退避は投票カードが複数あって２枚目以降であれば既に退避してあるポイント数に算出したポイント数を加算して退避するものとする（この時のポイント数を新規ポイントＰ１とする）。そして、Ｓ１０に戻る（Ｓ１１０〜Ｓ１４０）。
【００４３】
以上で投票券読取ユニット３５０および投票カード読取ユニット３８０のいづれか、または両方に挿入された媒体は全て読み込まれたことになり、以降は会員証（仮会員証か正会員証のいづれか）の印刷を行い、Ｓ１３０て印刷した投票券と共に放出する処理に入る。まず、Ｓ１５０に進み会員証挿入があったかをチェックする。会員証の挿入が無かったとき、ユニークな仮会員証番号を生成し、印刷するポイント数をＰ１として仮会員証の印刷を行う。ユニークな番号とは、例えば仮会員証の識別コードである「０」と、「自動発払機の機番」、「日付」および「通番」で構成する（Ｓ１６０〜１８０）。そして、この仮会員証と先に印刷した投票券を投票券発行ユニット３４０から放出し、もし釣り銭があれば釣り銭を紙幣還流ユニット３６０、硬貨還流ユニット３７０から放出する（Ｓ２６０）。
【００４４】
Ｓ１５０で会員証の挿入がなされていたときは、その中に会員証があったかどうかをＳ１９０で調べる。正会員証があったときは、Ｓ４０で退避した会員番号から識別コードを基に正会員番号を選び、ポイント数をＰ１＋Ｐ２として正会員証を印刷する。即ち、会員証が挿入された中に正会員証が含まれていれば、ポイント数は今回の購入分で付与されたポイント数を含めて正会員証に集約されたことになる（Ｓ２００〜Ｓ２２０）。以降、投票券と正会員証はＳ２６０で放出される。
【００４５】
Ｓ１９０で正会員証でなかったとき、即ち仮会員証のみであったときは、退避した会員番号から任意の一つを選択して会員番号とし、ポイント数をＰ１＋Ｐ２として仮会員証を印刷する。即ち、複数の仮会員証が挿入され、正会員証が含まれない場合はポイント数は今回の購入分で付与されたポイント数を含めて１枚の仮会員証に集約されたことになる（Ｓ２３０〜Ｓ２５０）。以降、投票券と仮会員証はＳ２６０で放出される。
【００４６】
以上、投票券の購入に伴いポイントがついた会員証が発行される処理のフローを説明した。投票券を購入せず（即ち、投票カードの挿入がない状態）に単に複数の仮会員証を挿入してもこのフローで１枚の仮会員証に集約して発行することが可能である。
【００４７】
次に、図４で説明した正会員証を発行する会員登録システム４００をより詳細に説明する。会員登録システム４００はＰＣ５００内に会員情報ＤＢ５１０と仮会員番号管理ＤＢ５２０のデータベースを持っており、会員情報ＤＢ５１０は例えば図８に示すように会員登録した会員の氏名や住所、性別等の個人情報が会員番号に対応付けられて格納されている。仮会員番号管理ＤＢ５２０は、会員登録システム４００で正会員証を発行する際に読み込まれた仮会員証の番号が格納されている。これは、一度正会員証の発行に用いられた仮会員証を無効とするためのチェック用の番号控えである。
【００４８】
次に会員登録システム４００のフローを図９を用いて説明する。まず、会員登録システム４００はスキャナ６００を用いて仮会員証から仮会員番号とポイント数を光学的に読み取る（Ｓ３００）。読み取った仮会員番号を仮会員番号管理ＤＢ５２０を参照して新規の番号であることを確認する（Ｓ３１０、Ｓ３２０）。もし、仮会員番号が仮会員番号管理ＤＢ５２０に存在するようであれば、既にその仮会員証は正会員証に置き換えられたものであるから、無効である旨のメッセージを発する。具体的には例えばＰＣ内蔵のブザーを鳴らし、画面に無効であるメッセージを表示する（Ｓ３３０）。
【００４９】
新規の番号であることが確認された仮登録番号は仮会員番号管理ＤＢ５２０に退避する（Ｓ３４０）。また、読み取ったポイント数は退避して置く（Ｓ３５０）。以上の処理を仮会員証の枚数分行い、全ての仮会員証の読込みが終了すると今回退避した仮会員番号の中から任意の１つを選び、仮会員証と正会員証を識別する識別コードを正会員証のコードに置き換え、正会員番号とする。更に、退避したポイント数を合算する。仮会員証のポイント数が合算されたことになる（Ｓ３７０、Ｓ３８０）。
【００５０】
次に顧客から得られた個人情報の入力を行う。個人情報は例えばＯＣＲシートに予め記入されたものを読み取ってもよい。読み取られた個人情報は、正会員番号と対応させて会員情報ＤＢ５１０（会員情報ＤＢ５１０では、正会員番号を単に会員番号としている）に格納する。格納した個人情報は、公営競技の案内やマーケッテングの情報として用いられる（Ｓ３９０、Ｓ４００）。
【００５１】
仮会員番号と合算したポイント数を基に氏名入りの正会員証を印刷し、発行する（Ｓ４１０）。
【００５２】
以上、会員登録システム４００について説明した。この説明では、ＰＣ５００が１台の場合であるが、数台を設置するようであればＰＣ間をネットワークで結び、会員情報ＤＢ５１０と仮会員番号管理ＤＢ５２０を共有化すればよい。また、ここで説明した会員登録システムは、仮会員証を基に正会員証が発行するようにしたが、仮会員証がなくても個人情報の入力だけで正会員証の発行を行うようにしてもよい。その時はポイント数は「０」である。
【００５３】
本発明は仮会員証を投票券の購入時に同時発行することが特徴であるが、ポイントサービスを行うメリットの一つに、会員となって貰ってそこから得られる個人情報を取得することもあげられる。そこで、ポイントの交換は正会員証のポイントでのみ有効であることとし、仮会員証を基に会員登録を行って正会員証を発行するものである。これにより、個人情報を得ることができる。
【００５４】
ポイント交換は、正会員証に記載のポイント数から景品分を引いた正会員証を新たに発行し、元の正会員証は廃券とし回収すれば良い。
【００５５】
以上の実施例に関し、さらに以下の付記を開示する。
（付記１）
入力された投票カードから投票金額を含む投票情報を取得する投票情報取得手段と、
前記投票情報の取得によりユニークな仮会員番号を生成し、前記投票金額に応じてポイント数を算出する会員証情報作成手段と、
前記仮会員番号と前記ポイント数とを含む仮会員証と、前記投票情報に基づいて作成した投票券とを発行する発行手段と
を有することを特徴とする投票券発行装置。
（付記２）
入力された投票カードから投票金額を含む投票情報を取得する投票情報取得手段と、
入力された１枚以上の仮会員証から仮会員番号とポイント数とをそれぞれ取得する会員情報取得手段と、
前記仮会員番号の中から任意の一つの仮会員番号を選択し、取得した前記ポイント数の合計と前記投票金額に応じて算出したポイント数とを合算する会員証情報作成手段と、
選択した前記仮会員番号と合算した前記ポイント数とを含む仮会員証と、前記投票情報に基づいて作成した投票券とを発行する発行手段と
を有することを特徴とする投票券発行装置。
（付記３）
入力された投票カードから投票金額を含む投票情報を取得する投票情報取得手段と、
会員登録により発行された正会員証から正会員番号とポイント数とを取得し、該正会員証と共に入力された１枚以上の仮会員証からポイント数を取得する会員情報取得手段と、
前記正会員証のポイント数と前記仮会員証のポイント数の合計と前記投票金額に応じて算出したポイント数とを合算する会員証情報作成手段と、
前記正会員番号と合算した前記ポイント数とを含む正会員証と、前記投票情報に基づいて作成した投票券とを発行する発行手段と
を有することを特徴とする投票券発行装置。
（付記４）
入力された投票カードから投票金額を含む投票情報を取得する投票情報取得手順と、
前記投票情報の取得によりユニークな仮会員番号を生成し、前記投票金額に応じてポイント数を算出する会員証情報作成手順と、
前記仮会員番号と前記ポイント数とを含む仮会員証と、前記投票情報に基づいて作成した投票券とを発行する発行手順と
を有することを特徴とする投票券発行方法。
（付記５）
入力された投票カードから投票金額を含む投票情報を取得する投票情報取得手段と、
前記投票情報の取得によりユニークな仮会員番号を生成し、前記投票金額に応じてポイント数を算出する会員証情報作成手段と、
前記仮会員番号と前記ポイント数とを含む仮会員証と、前記投票情報に基づいて作成した投票券とを発行する発行手段と
をコンピュータに機能させるための投票券発行プログラム。
（付記６）
前記会員情報取得手段で取得した仮会員証、または正会員証は廃券とし、前記発行手段では新たに仮会員証または正会員証を発行すること
を特徴とする付記２〜付記３に記載の投票券発行装置。
（付記７）
顧客から入力された１枚以上の仮会員証から仮会員番号とポイント数とを読み取り、該仮会員番号から任意の一つを正会員番号とし、該ポイント数を合算する正会員証情報作成手段と、
前記顧客に対して氏名を含む個人情報を入力させ、該個人情報を前記正会員番号に対応させて記憶する会員情報記憶手段と、
前記正会員番号と合算した前記ポイント数と前記氏名とを含んだ正会員証を発行する正会員証発行手段と
を有することを特徴とする会員登録システム。
【図面の簡単な説明】
【００５６】
【図１】第１の発明の原理図である。
【図２】第２の発明の原理図である。
【図３】第３の発明の原理図である。
【図４】全体の構成例である。
【図５】会員証の例である。
【図６】自動発払機の構成例である。
【図７】自動発払機の処理フロー例である。
【図８】会員情報ＤＢのデータ例である。
【図９】会員登録システムの処理フロー例である。
【符号の説明】
【００５７】
１０    投票情報取得手段
２０    会員証情報作成手段
２１    会員証情報作成手段
２２    会員証情報作成手段
３０    発行手段
３１    発行手段
３２    発行手段
４０    会員情報取得手段
４１    会員情報取得手段
１００  トータリゼータシステム
２００  ホストコンピュータ
３００  自動発払機
３０１  ＣＰＵ
３０２  ＭＥＭ
３０３  ホスト接続ユニット
３１０  カラー画面タッチパネル
３２０  音声ユニット
３３０  ＩＣカードユニット
３４０  投票券発行ユニット
３５０  投票券読取ユニット
３６０  紙幣還流ユニット
３７０  硬貨還流ユニット
３８０  投票カード読取ユニット
３９０  ジャーナルユニット
４００  会員登録システム
５００  ＰＣ
５１０  会員情報ＤＢ
５２０  仮会員番号管理ＤＢ
６００  スキャナ
７００  プリンタ
【図１】
2006053751.tif 000003
【図２】
2006053751.tif 000004
【図３】
2006053751.tif 000005
【図４】
2006053751.tif 000006
【図５】
2006053751.tif 000007
【図６】
2006053751.tif 000008
【図７】
2006053751.tif 000009
【図８】
2006053751.tif 000010
【図９】
2006053751.tif 000011